【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
ホスト装置に接続された電子スクランブル解読装置によって、制作者ＩＤを有する、少なくとも一つの制作者から生じる少なくとも一つのビデオストリームをスクランブル解読する方法において、前記ホスト装置は、バルク・パイプ・アウト及びバルク・パイプ・イン・トランスファを含むコントローラを備え、
前記ホスト装置で：
−  制作者ごとに、前記ビデオストリームからのデータのチャンクを定めるステップと、
−  アウト・トランスファのチェーンを形成するステップと、
−  前記ホスト装置によって、イン・トランスファのチェーンを形成するステップと、
−  前記コントローラによって前記アウト・トランスファのチェーンを前記電子スクランブル解読装置に転送し、このようにしてスクランブルされたデータチャンクを前記電子スクランブル解読装置へ転送するステップと、を含み、
前記電子スクランブル解読装置で：
−  前記電子スクランブル解読装置によって記述パケット（ｏＤＰ）を受信して、前記電子スクランブル解読装置によって前記少なくとも一つのチャンクと関連したキーデータを識別するステップと、
−  前記キーデータを使用して、前記スクランブルされたデータチャンクをスクランブル解読するステップと、
−  前記スクランブル解読されたデータを前記ホスト装置に戻すステップと、を含み、
前記ホスト装置で：
−  前記コントローラによって前記イン・トランスファのチェーンを受信し、このようにして前記電子スクランブル解読装置から前記スクランブル解読されたチャンクデータを待つステップと、
−  デスクリプタ（ｉｑＴＤ）の対応するチェーンにより表示されるアドレスで受信されスクランブル解読されたデータチャンクを格納するステップと、
−  最後のスクランブル解読されたチャンクの受信によって割り込みを生成するステップと、を含み、
前記アウト・トランスファのチェーンは、複数のチェーン・アウト・デスクリプタ（ｏｑＴＤ）にリンクされるチェーン・アウト・ヘッダ（ｏｑＨ）を含み、第１のチェーン・アウト・デスクリプタ（ｏｑＴＤ１）は、少なくとも一つの制作者ＩＤを含むアウト記述パケットを指し示し、第２及びそれ以降のチェーン・アウト・デスクリプタ（ｏｑＴＤ２，ｏｑＴＤ３，…，ｏｑＴＤｎ）は前記データのチャンク（ＤＣｏ）を指し示し、データの各チャンクは特定の制作者についてであり、
前記イン・トランスファのチェーンは、複数のチェーン・イン・デスクリプタ（ｉｑＴＤ）にリンクされるチェーン・イン・ヘッダ（ｉｑＨ）を含み、各チェーン・イン・デスクリプタは、スクランブル解読されたデータのチャンク（ＤＣｉ０，ＤＣｉ１，ＤＣｉ２，…，ＤＣｉｎ）を指し示し、そして最後のチェーン・イン・デスクリプタ（ｉｑＴＤｎ）は、割り込みを生成するように構成される方法。
【請求項２】
前記ビデオストリームは、ＭＰＥＧ標準に準拠する請求項１に記載の方法。
【請求項３】
前記電子スクランブル解読装置は、ＵＳＢドングルである請求項１又は２に記載の方法。
【請求項４】
前記ＭＰＥＧストリームは、プログラムＩＤをそれぞれ有する複数のサブストリームを含みかつ消費者を対象とされたマルチ・プログラム・トランスポート・ストリーム（ＭＰＴＳ）を含む方法であって、
−  各サブストリームの前記プログラムＩＤを前記トランスファ・チェーン記述パケットに挿入するステップと、
−  前記転送されたチャンクがスクランブル解読されることを各消費者に知らせるステップと、を含み、
前記イン・トランスファのチェーンは、各プログラムＩＤと関連した消費者ごとに少なくとも一つのチャンクを含む請求項２又は３に記載の方法。
【請求項５】
前記ＭＰＥＧストリームは、一つのパケット識別子ＰＩＤを有するシングル・プログラム・トランスポート・ストリーム（ＳＰＴＳ）により形成される請求項２又は３に記載の方法。
【請求項６】
少なくとも第１及び第２のＭＰＥＧストリームは、ＭＰＥＧストリーム当たり固有の制作者ＩＤを各々有する、前記電子スクランブル解読装置へ転送される方法であって、
−  前記第１のストリームの前記制作者ＩＤ及び前記第２のストリームの前記制作者ＩＤを前記第１のチェーン・アウト・デスクリプタ（ｏｑＴＤ１）に挿入するステップと、
−  前記第１のＭＰＥＧストリームからのデータのチャンクを第２のチェーン・アウト・デスクリプタ（ｏｑＴＤ２）に、そして前記第２のＭＰＥＧストリームからのデータのチャンクを第３のチェーン・アウト・デスクリプタ（ｏｑＴＤ３）に挿入するステップと、
を含む請求項４又は５に記載の方法。
【請求項７】
トランスファ・チェーンは、その制作者ＩＤを使用して各々識別される、ＳＰＴＳ、ＭＰＴＳ、又はＲＡＷ  ｍｐｅｇの中で選択される異なるタイプの制作者を含むことができる請求項６に記載の方法。
【請求項８】
前記キーデータは、専用チャネルを通じて前記電子スクランブル解読装置へ転送され、各キーデータは、一つのパケット識別子ＰＩＤ専用であり、前記キーデータは、その特定のプログラムの前記データチャンクとともに使われる請求項１ないし７のいずれか１項に記載の方法。
【請求項９】
前記スクランブル解読されたチャンクは、前記ホスト装置と前記電子スクランブル解読装置で共有されるチャネルキーによって再暗号化される請求項１ないし８のいずれか１項に記載の方法。
【請求項１０】
制作者ＩＤを有する、少なくとも一つの制作者から生じる少なくとも一つのビデオストリームをホスト装置から電子スクランブル解読装置とのインタフェースへ転送するために、前記電子スクランブル解読装置とのインタフェースを有するホスト装置において、
前記ホスト装置は、バルク・パイプ・アウト及びバルク・パイプ・イン・トランスファを含むコントローラを備え、
前記コントローラは、
−  制作者ごとに、前記ビデオストリームからのデータのチャンクを定め、
−  アウト・トランスファのチェーンを形成し、
−  イン・トランスファのチェーンを形成し、
−  前記アウト・トランスファのチェーンを前記電子スクランブル解読装置に転送し、このようにして前記スクランブルされたデータチャンクを前記電子スクランブル解読装置へ転送し、
−  前記イン・トランスファのチェーンを受信し、このようにして前記電子スクランブル解読装置から前記スクランブル解読されたチャンクデータを待ち、
−  デスクリプタ（ｉｑＴＤ）の対応するチェーンにより表示されるアドレスで受信されスクランブル解読されたデータチャンクを格納し、
−  最後のスクランブル解読されたチャンクの受信によって割り込みをトリグするように構成され、
前記アウト・トランスファのチェーンは、複数のチェーン・アウト・デスクリプタ（ｏｑＴＤ）にリンクされるチェーン・アウト・ヘッダ（ｏｑＨ）を含み、第１のチェーン・アウト・デスクリプタ（ｏｑＴＤ１）は、少なくとも一つの制作者ＩＤを含むアウト記述パケット（ｏＤＰ）を指し示し、第２及びそれ以降のチェーン・アウト・デスクリプタ（ｏｑＴＤ２，ｏｑＴＤ３，…，ｏｑＴＤｎ）は前記データのチャンクを指し示し、データの各チャンクは特定の制作者についてであり、
前記イン・トランスファのチェーンは、複数のチェーン・イン・デスクリプタ（ｉｑＴＤ）にリンクされるチェーン・イン・ヘッダ（ｉｑＨ）を含み、各チェーン・イン・デスクリプタは、スクランブル解読されたデータのチャンク（ＤＣｉ０，ＤＣｉ１，ＤＣｉ２，…，ＤＣｉｎ）を指し示し、そして最後のチェーン・イン・デスクリプタは、割り込みを生成するように構成されるホスト装置。
【請求項１１】
前記ビデオストリームは、ＭＰＥＧ標準に準拠し、そして各々パケット識別子ＰＩＤを有する複数のサブストリームを含みかつ消費者を対象とされたマルチ・プログラム・トランスポート・ストリーム（ＭＰＴＳ）を含み、
前記システムは、
−  各プログラムの前記プログラムＩＤを前記トランスファ・チェーン記述パケットに挿入し、
−  前記転送されたチャンクがスクランブル解読されることを各消費者に知らせ、
前記イン・トランスファのチェーンは、各パケット識別子ＰＩＤと関連した消費者ごとに少なくとも一つのチャンクを含むように更に構成される請求項１０に記載のホスト装置。
【請求項１２】
第１及び第２のビデオストリームは、ビデオストリーム当たり固有の制作者ＩＤを各々有する、前記電子スクランブル解読装置へ転送されて、
前記システムは、
−  前記第１のストリームの前記制作者ＩＤ及び前記第２のストリームの前記制作者ＩＤを前記トランスファ・チェーン記述パケットに挿入し、
−  前記第１のストリームの第１の消費者ＩＤ及び前記第２のストリームの第２の消費者ＩＤをアウト・トランスファのチェーンに挿入し、
−  前記イン・トランスファのチェーンの少なくとも２つのチャンク、前記第１のストリームの一つ、及び前記第２のストリームの一つを構成し、
−  前記転送されたチャンクがスクランブル解読されることを前記第１及び前記第２の消費者に知らせるように構成される請求項１０又は１１に記載のホスト装置。
【請求項１３】
前記ホスト装置と前記ＵＳＢドングルで共有されるチャネルキーによって前記スクランブル解読されたチャンクを解読するように構成される請求項８ないし１０のいずれか１項に記載のホスト装置。
【手続補正２】
【補正対象書類名】明細書
【補正対象項目名】０００５
【補正方法】変更
【補正の内容】
【０００５】
この問題に対処するために、ホスト装置に接続された電子スクランブル解読装置によって、制作者ＩＤを有する、少なくとも一つの制作者から生じる少なくとも一つのビデオストリームをスクランブル解読する方法が提案される。
前記ホスト装置は、バルク・パイプ・アウト及びバルク・パイプ・イン・トランスファを備えたコントローラを備え、
前記ホスト装置で：
−  制作者ごとに、前記ビデオストリームからのデータのチャンクを定めるステップと、
−  アウト・トランスファのチェーンを形成するステップと、
−  前記ホスト装置によって、イン・トランスファのチェーンを形成するステップと、
−  前記コントローラによって前記アウト・トランスファのチェーンを前記電子スクランブル解読装置へ転送し、このようにして、スクランブルされたデータチャンクを前記電子スクランブル解読装置へ転送するステップと、を含み、
前記電子スクランブル解読装置で：
−  前記電子スクランブル解読装置によって記述パケットを受信して、前記少なくとも一つのチャンクと関連したキーデータを前記電子スクランブル解読装置によって識別するステップと、
−  前記キーデータを使用して、前記スクランブルされたデータチャンクをスクランブル解読するステップと、
−  前記スクランブル解読されたデータをホスト装置に戻すステップと、を含み、
前記ホスト装置で：
−  前記コントローラによって前記イン・トランスファのチェーンを受信し、このようにして、前記電子スクランブル解読装置から前記スクランブル解読されたチャンクデータを待つステップと、
−  デスクリプタ（ｉｑＴＤ）の対応するチェーンにより表示されるアドレスで受信されスクランブル解読されたデータブロックを格納するステップと、
−  最後のスクランブル解読されたブロックの受信によって割り込みをトリガーするステップと、を含み、
前記アウト・トランスファのチェーンは、複数のチェーン・アウト・デスクリプタ（ｏｑＴＤ）にリンクされるチェーン・アウト・ヘッダ（ｏｑＨ）を含み、第１のチェーン・アウト・デスクリプタ（ｏｑＴＤ１）は、少なくとも一つの制作者ＩＤを含むアウト記述パケットを指し示し、第２及びそれ以降のチェーン・アウト・デスクリプタ（ｏｑＴＤ２，ｏｑＴＤ３，…，ｏｑＴＤｎ）は、データのチャンク（ＤＣｏ）を指し示し、データの各チャンクは特定の制作者についてであり、
前記イン・トランスファのチェーンは、複数のチェーン・イン・デスクリプタ（ｉｑＴＤ）にリンクされるチェーン・イン・ヘッダ（ｉｑＨ）を含み、各チェーン・イン・デスクリプタは、スクランブル解読されたデータのチャンク（ＤＣｉ０，ＤＣｉ１，ＤＣｉ２，…，ＤＣｉｎ）を指し示し、そして最後のチェーン・イン・デスクリプタ（ｉｑＴＤｎ）は、割り込みを生成するように構成される。